(57)【要約】【課題】  システム構築に要する工事費用を大幅に削減しつつ、各種のプラント機器の稼働状態を中央監視室において確実に監視することが可能なプラント機器遠隔監視システムを提供する。【解決手段】  プラント機器の稼働状態を示す計測信号を近距離無線で送信するワイヤレスセンサ１と、このワイヤレスセンサ１からの計測信号を受信して電力ケーブル５に流れる交流電流に重畳して送信する現場中継装置２と、この現場中継装置２からの計測信号を収集してＬＡＮ６を通じて送信するＰＬＣ伝送親局３と、このＰＬＣ伝送親局３からの計測信号を受信して記憶、表示等のデータ処理を行うセンタ装置４とを備えている。【選択図】        図１
2005222139.tif 000002
【特許請求の範囲】
【請求項１】
各種のプラント機器の稼働状態を検知して得られる計測信号を無線で送信するワイヤレスセンサと、このワイヤレスセンサからの計測信号を受信し、この受信した計測信号を電力ケーブルに流れる交流電流に重畳して送信する現場中継装置と、この現場中継装置から電力ケーブルを介して伝送されてくる上記計測信号を収集し、これらの各計測信号をＬＡＮを通じて送信するＰＬＣ伝送親局と、このＰＬＣ伝送親局からＬＡＮを介して伝送されてくる計測信号を受信して記憶、表示等のデータ処理を行うセンタ装置と、を備えることを特徴とするプラント機器遠隔監視システム。
【請求項２】
各種のプラント機器の稼働状態を検知して得られる計測信号を無線で送信するワイヤレスセンサと、このワイヤレスセンサからの計測信号を受信し、この受信した計測信号を電力ケーブルに流れる交流電流に重畳して送信する現場中継装置と、この現場中継装置から電力ケーブルを介して伝送されてくる上記計測信号を収集し、これらの各計測信号を専用の通信ケーブルを通じて送信するＰＬＣ伝送親局と、このＰＬＣ伝送親局から上記通信ケーブルを介して伝送されてくる計測信号を受信し、この計測信号を公衆無線通信回線からインターネットを通じて伝送するデータ伝送装置と、このデータ伝送装置からインターネットを介して伝送されてくる計測信号を受信して記憶、表示等のデータ処理を行うセンタ装置と、を備えることを特徴とするプラント機器遠隔監視システム。
【請求項３】
各種のプラント機器の稼働状態を検知して得られる計測信号を無線で送信するワイヤレスセンサと、このワイヤレスセンサからの計測信号を受信し、この受信した計測信号を電力ケーブルを流れる交流電流に重畳して送信する現場中継装置と、この現場中継装置から電力ケーブルを介して伝送されてくる上記計測信号を収集し、これらの各計測信号を専用の通信ケーブルを通じて送信するＰＬＣ伝送親局と、このＰＬＣ伝送親局から上記通信ケーブルを介して伝送されてくる計測信号を受信し、この計測信号を専用の通信ケーブルを通じて送信するテレメータ子局と、このテレメータ子局から上記通信ケーブルを介して伝送されてくる計測信号を受信し、この計測信号を監視制御バスを通じて送信するテレメータ親局と、このテレメータ親局から監視制御バスを介して伝送されてくる計測信号を受信して記憶、表示等のデータ処理を行うセンタ装置と、を備えることを特徴とするプラント機器遠隔監視システム。
【請求項４】
上記センタ装置は、受信した計測信号に基づいて上記各プラント機器の状態を解析する解析手段を備えることを特徴とする請求項１ないし請求項３のいずれか１項に記載のプラント機器遠隔監視システム。
【請求項５】
上記のワイヤレスセンサは、プラントに設置された各種の機器に取り付けられる複数のセンサ部と、各センサ部に対して個別に設けられて各センサ部から出力される計測信号をデジタル化して出力するＡ／Ｄ変換器と、各々のＡ／Ｄ変換器から出力される計測信号を収集し、各計測信号を無線信号に変換して送信する無線送信手段と、からなることを特徴とする請求項１ないし請求項４のいずれか１項に記載のプラント機器遠隔監視システム。
【発明の詳細な説明】
【技術分野】
【０００１】
本発明は、各種のプラント機器の詳細な状況を遠隔にて監視するプラント機器遠隔監視システムに関する。
【背景技術】
【０００２】
従来、例えば水処理プラント等においては、保守作業員が定期的に巡視点検を実施して、ポンプやバルブ等の各種のプラント機器の稼働状態を振動・温度・音などにより確認することで監視を行っている。
【０００３】
また、原子力発電所等においては、作業員が近づくことができないプラント機器があるため、各プラント機器に対してセンサに取り付け、これらのセンサで計測したデータを中央監視室まで専用の通信回線を介して伝送して監視を行っている。
【０００４】
また、従来のプラント機器遠隔監視システムでは、専用の信号線を用いる代わりに、センサで計測したデータを無線中継器を介して中央監視室に設置されたセンタ装置まで伝送し、センタ装置でデータを蓄積、表示、解析を行うようにしたものも提案されている（例えば、特許文献１参照）。
【０００５】
【特許文献１】特開平１０−１２３２８２号公報（９頁、第１図）
【発明の開示】
【発明が解決しようとする課題】
【０００６】
上記のように、従来の水処理プラント等で行われているような保守作業員による巡視点検は、大規模なプラントとなると点検項目が数万点にも及ぶため、保守作業員の負担が過大になって好ましくない。
【０００７】
これに対して、全てのプラント機器に対してセンサを設置し、専用の通信回線によって中央監視室に設置されているセンタ装置にまでデータを伝送して監視を行うようにすれば、保守作業員の負担を軽減することが可能である。しかしながら、一方で専用の通信回線を敷設する場合には、その敷設の為に膨大な工事費用が必要となって、実現が困難である。
【０００８】
一方、専用の通信回線を敷設する代わりに、引用文献１に記載されているような無線通信を利用すれば通信回線を新たに敷設するための工事費用を削減することができるものの、プラント機器が設置されている現場とセンタ装置が設置されている中央監視室との間の距離が離れている場合は、その間に無線中継器を何台も設置する必要があり、依然としてシステム構築にはコストが掛かることになる。
【０００９】
本発明は、上記の課題を解決するためになされたもので、システム構築に要する工事費用を従来に比べて大幅に削減できるとともに、各種のプラント機器の稼働状態を遠隔の中央監視室において確実に監視することが可能なプラント機器遠隔監視システムを提供することを目的とする。
【課題を解決するための手段】
【００１０】
上記の目的を達成するために、本発明のプラント機器遠隔監視システムは、各種のプラント機器の稼働状態を検知して得られる計測信号を近距離無線で送信するワイヤレスセンサと、このワイヤレスセンサからの計測信号を受信し、この受信した計測信号を電力ケーブルに流れる交流電流に重畳して送信する現場中継装置と、この現場中継装置から電力ケーブルを介して伝送されてくる上記計測信号を収集し、これらの各計測信号をＬＡＮを通じて送信するＰＬＣ伝送親局と、このＰＬＣ伝送親局からＬＡＮを介して伝送されてくる計測信号を受信して記憶、表示等のデータ処理を行うセンタ装置と、を備えることを特徴としている。
【発明の効果】
【００１１】
本発明によれば、プラント機器の稼働状態を計測した計測信号を近距離無線および既設設備を利用して中央監視室に伝送することができるため、システム構築に要する工事費用を従来に比べて大幅に削減できるとともに、各種のプラント機器の稼働状態を遠隔の中央監視室において確実に監視することが可能になる。
【発明を実施するための最良の形態】
【００１２】
実施の形態１．
図１は本発明の実施の形態１におけるプラント機器遠隔監視システムを示すシステム構成図である。
【００１３】
この実施の形態１におけるプラント機器遠隔監視システムは、ワイヤレスセンサ１、現場中継装置２、ＰＬＣ伝送親局３、およびセンタ装置４を備えている。そして、現場中継装置２とＰＬＣ伝送親局３との間は電力ケーブル５を介して、また、ＰＬＣ伝送親局３とセンタ装置４との間は場内ＬＡＮ６を介して、それぞれ互いに接続されている。
【００１４】
上記の各ワイヤレスセンサ１は、図示しない各種のプラント機器の任意の計測点に取り付けられて各プラント機器の稼働状態を検知して得られる計測信号を無線で送信するものである。この場合、ワイヤレスセンサ１は電源を必要とするので、例えば電池により給電することを考慮すると低消費電力であることが望ましい。このため、この実施の形態１では、無線通信可能な距離を数十メートル程度とした近距離無線通信が使用される。
【００１５】
各ワイヤレスセンサ１は、プラント機器の温度や振動、音などを計測するセンサ部７と、センサ部７の出力であるアナログ信号をデジタル信号に変換して出力するＡ／Ｄ変換器８と、Ａ／Ｄ変換器８が出力したデジタル信号を周波数変調するなどして無線で送信する近距離無線子局９とを備えている。
【００１６】
そして、複数のワイヤレスセンサ１に対して一つの現場中継装置２が割り当てられている。この現場中継装置２は、各ワイヤレスセンサ１からの無線で送られてくる計測信号を受信し、これを電力ケーブル５を介して中継するものであって、例えば各プラント機器の近傍に設置された図示しない手元操作盤の内部に配置される。
【００１７】
ここに、ワイヤレスセンサ１と現場中継装置２との間は上記のように近距離無線を使用することから、両者１，２間の距離は数十メートル以内に収める必要がある。プラントでは、プラント機器と手元操作盤との距離は通常この範囲内に収まるので、現場中継装置２は手元操作盤内に設置されるのが望ましい。また、手元操作盤内に現場中継装置２を設置することにより、手元操作盤から電気室まで敷設されている電力ケーブル５を利用してＰＬＣ（Ｐｏｗｅｒ  Ｌｉｎｅ  Ｃｏｍｍｕｎｉｃａｔｉｏｎ）伝送を行うことが可能となる。
【００１８】
各現場中継装置２は、近距離無線子局９から送信された計測信号を受信する近距離無線親局１０と、この近距離無線親局１０が受信した計測信号を電力ケーブル５に流れる交流電流に重畳してＰＬＣ伝送親局３に送信するＰＬＣ伝送子局１１とを備えている。
【００１９】
この場合、近距離無線親局１０は複数の受信チャネルを有しており、複数のワイヤレスセンサ１からの無線信号を識別することができる。また、ＰＬＣ伝送子局１１から出力される計測信号の送信周波数は、電力ケーブル５に流れる交流電流の周波数に比べて高いので、計測信号を交流波形の上に重畳して出力することができる。
【００２０】
ＰＬＣ伝送親局３は、各現場中継装置２から電力ケーブル５を介して伝送されてくる計測信号を収集し、これらの各計測信号を場内ＬＡＮ６を通じて送信するものである。すなわち、ＰＬＣ伝送親局３は、電力ケーブル５上の交流波形に重畳されている計測信号を帯域フィルタ等により分離して取り出して復調した後、各計測信号を順次パケット化して送信するなどの機能を備えている。
【００２１】
この場合、ＰＬＣ伝送親局３は、計測信号を入力する複数のポートを有しており、複数の現場中継装置２から電力ケーブル５を介して伝送されてくる計測信号を識別することができる。そして、各ＰＬＣ伝送親局３は、例えば配電盤や各種の電気管理設備が設置されている電気室内に設置される。
【００２２】
センタ装置４は、ＰＬＣ伝送親局３からＬＡＮを介して伝送されてくる計測信号を受信して記憶、表示、解析等のデータ処理を行うもので、ここでは中央監視室に設置される。そして、このセンタ装置４は、ＰＬＣ伝送親局３から送信されてくる計測信号を受信するデータ受信装置１２と、受信した計測信号を蓄積する記憶装置１３と、この記憶装置１３に記憶されている計測信号を解析する解析装置１４と、計測信号および解析結果を表示する表示装置１５とを備えている。
【００２３】
次に、上記構成を備えたプラント機器遠隔監視システムにおいて、プラント機器を遠隔監視する際の動作について説明する。
【００２４】
予め、プラント機器の中で特に重要な機器の計測箇所にワイヤレスセンサ１を取り付けておく。各ワイヤレスセンサのセンサ部７によって計測されたプラント機器の温度、振動、音などの計測信号は、Ａ／Ｄ変換器８を通じてデジタル化され、近距離無線子局９に出力される。近距離無線子局９は、この計測信号を周波数変調するなどして無線信号として送信する。
【００２５】
このワイヤレスセンサ１から送信された無線信号は、現場中継装置２の近距離無線親局１０により受信される。ＰＬＣ伝送子局１１は、近距離無線親局１０が受信した計測信号を電力ケーブル５を介してＰＬＣ伝送親局３に送信する。すなわち、ＰＬＣ伝送子局１１は、計測信号を交流電流波形の上に重畳して出力する。
【００２６】
ＰＬＣ伝送親局３は、電力ケーブル５上の交流電流波形に重畳されている高周波の計測信号を帯域フィルタ等により分離して取り出した後、各計測信号を復調する。そして、これらの各計測信号をパケット化するなどして場内ＬＡＮ６を介してセンタ装置４に送信する。
【００２７】
センタ装置４のデータ受信装置１２によって受信された計測信号は、一旦、記憶装置１３に蓄積保存される。記憶装置１３に蓄積されたデータは、解析装置１４において解析され、必要に応じて解析結果が記憶装置１３に保存される。また、記憶装置１３に保存されている計測信号および解析結果は表示装置１５に出力されて表示される。
【００２８】
このように、この実施の形態１では、プラント機器のなかで特に重要な機器の計測箇所にワイヤレスセンサ１を取り付け、当該機器の計測信号を手元操作盤等に設置した現場中継装置２まで近距離無線通信により伝送し、さらに現場中継装置２から電気室に設置したＰＬＣ伝送親局３まで電力ケーブル５を利用して伝送し、さらにＰＬＣ伝送親局３から中央監視室に設置したセンタ装置４まで場内ＬＡＮ６を介して伝送し、センタ装置４において計測信号の保存、表示、解析等のデータ処理を行う。したがって、保守作業員がプラント機器を巡回点検する負担が軽減され、プラント機器の稼働状態の変化の有無を早急かつ確実に検知することができる。
【００２９】
しかも、ワイヤレスセンサ１と現場中継装置２との間は短距離無線によりデータ通信を行い、また、現場中継装置２とＰＬＣ伝送親局３との間は既設の電力ケーブル５を利用して通信を行うので、新たな配線の敷設は不要である。また、場内ＬＡＮ６も既設のものを利用することができる。したがって、新たに配線を敷設する必要があるのは、ＰＬＣ伝送親局３を場内ＬＡＮ６に接続するためのＬＡＮ線のみであり、その敷設距離は比較的短くて済むため、プラント機器遠隔監視システムを導入する際の工事費用を従来に比べて大幅に削減することが可能となる。
【００３０】
実施の形態２．
図２は本発明の実施の形態２におけるプラント機器遠隔監視システムを示すシステム構成図である。なお、図１に示した実施の形態１と対応する構成部分には同一の符号を付す。
【００３１】
上記の実施の形態１では、ＰＬＣ伝送親局３とセンタ装置４との間を場内ＬＡＮ６を介して接続しているが、ワイヤレスセンサ１や現場中継装置２が設置されている現場の手元操作盤や電気室の場所と、センタ装置４が設置されている中央監視室との間の距離が離れている場合には、場内ＬＡＮ６を介して接続することが困難となる。例えば、ポンプ場の機器の状態を浄水場等の中央監視室において監視する場合、通常、ポンプ場と浄水場の間は距離が離れているため、ＬＡＮで接続することが難しい。
【００３２】
そこで、この実施の形態２によるプラント機器遠隔監視システムにおいては、監視対象のプラント機器と中央監視装置４の設置場所とが距離的に離れている場合でも対処できるように、次の構成を採用している。
【００３３】
すなわち、この実施の形態２におけるプラント機器遠隔監視システムにおいては、ワイヤレスセンサ１、現場中継装置２、ＰＬＣ伝送親局３、センタ装置４に加えて、データ伝送装置１６が設けられている。
【００３４】
このデータ伝送装置１６は、ＰＬＣ伝送親局３から通信ケーブルを介して伝送されてくる計測信号を受信するマイクロサーバ１９と、このマイクロサーバ１９で受信された計測信号を公衆無線通信回線２７に無線送信するＰＨＳ２０とを備えている。
【００３５】
そして、このデータ伝送装置１６は、ＰＬＣ伝送親局３と共に同じ電気室内に隣接して設置されており、両者３，１６間は専用の通信ケーブル２６を介して互いに接続されている。また、データ伝送装置１６とセンタ装置４との間は、公衆無線通信回線２７、インターネット１７、ルータ１８、場内ＬＡＮ６を介して接続されている。
【００３６】
その他の構成については、図１に示した実施の形態１の構成と基本的に同じであるので、ここでは詳細な説明を省略する。
【００３７】
次に、上記構成を備えたプラント機器遠隔監視システムにおいて、プラント機器を遠隔監視する際の動作について説明する。
【００３８】
ワイヤレスセンサ１により得られた計測信号がＰＬＣ伝送親局３に伝送されるまでの動作は、実施の形態１と同様である。
【００３９】
この実施の形態２の場合、ＰＬＣ伝送親局３に伝送されてきた計測信号は、さらに通信ケーブル２６を介してデータ伝送装置１６に送信される。データ伝送装置１６で受信された計測信号は、マイクロサーバ１９内部の図示しないメモリに保存される。
【００４０】
ここで、センタ装置４がインターネット１７を介してデータ伝送装置１６に対してデータ送信要求を送ると、これに応じてＰＨＳ２０が公衆無線通信回線２７からインターネット１７に接続してデータ通信を行い、マイクロサーバ１９においてデータ送信要求を受け取る。データ送信要求を受け取ったマイクロサーバ１９は、ＰＨＳ２０によりデータ通信を行い、メモリに蓄積した計測信号をセンタ装置４に対して送信する。
【００４１】
この計測信号は、インターネット１７、ルータ１８、および場内ＬＡＮ６を通じてセンタ装置４のデータ受信装置１２により受信される。センタ装置４が計測信号を受信してからの動作は、実施の形態１の場合と同様である。
【００４２】
このように、この実施の形態２では、ＰＬＣ伝送親局３に対してデータ伝送装置１６を個別に設け、データ伝送装置１６とセンタ装置４との間を、公衆無線通信回線２７、インターネット１７、ルータ１８、場内ＬＡＮ６を介して接続しているので、例えばポンプ場と浄水場のように、観測点と監視場所とが距離的に離れている場合でも、プラント機器の稼働状態を確実に監視することが可能となる。
【００４３】
しかも、ワイヤレスセンサ１と現場中継装置２との間は短距離無線によりデータ通信を行い、また、現場中継装置２とＰＬＣ伝送親局３との間は既設の電力ケーブル５を利用して通信を行うので、新たな配線の敷設は不要である。また、公衆無線通信回線２７、インターネット１７、ルータ１８、場内ＬＡＮ６についても既設のものを利用することができる。したがって、新たに設置が必要となるのは、データ伝送装置１６ならびに当該装置１６をＰＬＣ伝送親局３に接続するための専用の通信ケーブル２６のみである。その際、通信ケーブル２６の距離は短くて済む。したがって、プラント機器遠隔監視システムを導入する際の工事費用を従来に比べて大幅に削減することが可能となる。
【００４４】
なお、この実施の形態２では、遠隔地へのデータ通信手段としてＰＨＳを使用しているが、これに限らず、例えばデジタル携帯電話などに置き換えることも可能である。
【００４５】
実施の形態３．
図３は本発明の実施の形態３におけるプラント機器遠隔監視システムを示すシステム構成図である。なお、図１に示した実施の形態１に対応する構成部分には同一の符号を付す。
【００４６】
この実施の形態３によるプラント機器遠隔監視システムは、例えばポンプ場と浄水場のように、観測点と監視場所が距離的に離れている場合において、上記の実施の形態２よりもさらにシステム導入時の工事費用を削減できるようにしたものである。
【００４７】
すなわち、この実施の形態３におけるプラント機器遠隔監視システムにおいては、ワイヤレスセンサ１、現場中継装置２、ＰＬＣ伝送親局３、センタ装置４に加えて、テレメータ子局２１およびテレメータ親局２３が設けられている。
【００４８】
テレメータ子局２１は、各ＰＬＣ伝送親局３から伝送されてくる計測信号を受信し、この計測信号をテレメータ親局に送信するものである。また、テレメータ親局は、このテレメータ子局から伝送されてく計測信号を受信し、この計測信号をセンタ装置４に送信するものである。
【００４９】
そして、テレメータ子局２１は、ＰＬＣ伝送親局３と共に同じ電気室内に隣接して設置されており、両者３，２１間は専用の通信ケーブル２８を介して互いに接続されている。また、テレメータ子局２１とテレメータ親局２３との間は、専用の通信ケーブル２２を介して互いに接続されている。さらに、テレメータ親局２３とセンタ装置４との間は監視制御バス２４を介して互いに接続されている。
【００５０】
その他の構成については、図１に示した実施の形態１の構成と基本的に同じであるので、ここでは詳細な説明を省略する。
【００５１】
次に、上記構成を備えたプラント機器遠隔監視システムにおいて、プラント機器を遠隔監視する際の動作について説明する。
【００５２】
ワイヤレスセンサ１により計測された計測信号がＰＬＣ伝送親局３に伝送されるまでの動作は、実施の形態１、２と同様である。
【００５３】
ＰＬＣ伝送親局３に伝送されてきた計測信号は、通信ケーブル２８を介してテレメータ子局２１に送信される。テレメータ子局２１で受信された計測信号は、さらに通信ケーブル２２を通じてテレメータ親局２３に送信される。テレメータ親局２３に伝送されてきた計測信号は、監視制御バス２４に伝送されてセンタ装置４のデータ受信装置１２で受信される。センタ装置４が計測信号を受信してからの動作は、実施の形態１の場合と同様である。
【００５４】
このように、この実施の形態３では、ＰＬＣ伝送親局３とセンタ装置４との間にテレメータ子局２１およびテレメータ親局２３を設け、これらを専用の通信ケーブル２８，２２で接続し、さらに、テレメータ親局２３とセンタ装置４との間を監視制御バス２４を介して接続しているので、例えばポンプ場と浄水場のように、観測点と監視場所とが距離的に離れている場合でも、プラント機器の稼働状態を確実に監視することが可能となる。
【００５５】
しかも、ワイヤレスセンサ１と現場中継装置２との間は短距離無線によりデータ通信を行い、また、現場中継装置２とＰＬＣ伝送親局３との間は既設の電力ケーブル５を利用して通信を行うので、新たな配線の敷設は不要である。また、テレメータ子局２１、テレメータ親局２３、およびこれらを接続する通信ケーブル２２や監視制御バス２４については既設のものを利用することができる。したがって、新たに設置が必要となるのは、ＰＬＣ伝送親局３とテレメータ子局２１間を接続する専用の通信ケーブル２８のみであり、その際、通信ケーブル２８の距離は短くて済む。したがって、プラント機器遠隔監視システムを導入する際の工事費用を実施の形態２の場合よりもさらに削減することが可能となる。
【００５６】
実施の形態４．
図４は本発明の実施の形態４におけるプラント機器遠隔監視システムを示すシステム構成図である。なお、図１に示した実施の形態１と対応する構成部分には同一の符号を付す。
【００５７】
上記の実施の形態１〜３におけるワイヤレスセンサ１においては、センサ部７およびＡ／Ｄ変換機８に対して個別に近距離無線子局９を設けてプラント機器の稼働状態を計測して無線通信するよう構成している。
【００５８】
これに対して、この実施の形態４のワイヤレスセンサ１は、センサ部７とＡ／Ｄ変換機８とでセンサユニット２５が構成され、これらのセンサユニット２５の複数個に対して、無線送信手段としての一つの近距離無線子局９が接続されている。このため、各近距離無線子局９は、複数の入力ポートを持ち、複数のセンサユニット２５からの計測信号を受信して識別できるようになっている。
【００５９】
したがって、この実施の形態４のワイヤレスセンサ１においては、各々のセンサユニット２５によりプラント機器の稼働状態を計測して得られる計測信号が近距離無線子局９により収集され、各計測信号が順次無線信号に変換されて現場中継装置２に向けて送信される。
なお、それ以外の構成および動作は、実施の形態１と同様であるから、ここでは詳細な説明は省略する。
【００６０】
この構成により、実施の形態１〜３の構成の場合に比べて、近距離無線子局９の数を削減することができる。このため、ワイヤレスセンサ１のコスト削減を図ることができる。特に、個々のプラント機器に対して多くの計測点を確保する必要がある場合でも、複数のセンサユニット２５に対して１つの近距離無線子局９を設置するだけで済むので有利である。
【図面の簡単な説明】
【００６１】
【図１】本発明の実施の形態１におけるプラント機器遠隔監視システムを示すシステム構成図である。
【図２】本発明の実施の形態２におけるプラント機器遠隔監視システムを示すシステム構成図である。
【図３】本発明の実施の形態３におけるプラント機器遠隔監視システムを示すシステム構成図である。
【図４】本発明の実施の形態４におけるプラント機器遠隔監視システムを示すシステム構成図である。
【符号の説明】
【００６２】
１  ワイヤレスセンサ、２  現場中継装置、３  ＰＬＣ伝送親局、４  センタ装置、
５  電力ケーブル、６  場内ＬＡＮ、７  センサ部、８  Ａ／Ｄ変換器、
９  近距離無線子局（無線送信手段）、１６  データ伝送装置、１７  インターネット、２１  テレメータ子局、２２  通信ケーブル、２３  テレメータ親局、
２４  監視制御バス、２５  センサユニット、２６  通信ケーブル、
２７  公衆無線回線、２８  通信ケーブル。
【図１】
2005222139.tif 000003
【図２】
2005222139.tif 000004
【図３】
2005222139.tif 000005
【図４】
2005222139.tif 000006